(57)【要約】      （修正有）【課題】最小嵩でも飲食物を収容することが可能で、飲食時には容易に容量を大きくすることにより別添材料を添加してもこぼれる虞がなく、かつ、容量を増やした部分の容器部材が飲食の妨げとならない可変容量容器を提供する。【解決手段】上面の開口部周縁にフランジ部２１を有する本体容器２と、本体容器の開口部及びフランジ部を覆う蓋部材３と、を有し、フランジ部にはその一部を抜き取った抜き穴２３が、フランジ部の外縁部に重ならない位置に形成されていて、フランジ部が開口部の外縁部を支点として水平位置と立ち上げ位置の間で上下方向に可動であることを特徴とする可変容量容器１。【選択図】図１
2017186043.tif 000002
【特許請求の範囲】
【請求項１】
上面の開口部周縁にフランジ部を有する本体容器と、前記本体容器の前記開口部及び前記フランジ部を覆う蓋部材と、を有し、
前記フランジ部にはその一部を抜き取った抜き穴が前記フランジ部の外縁部に重ならない位置に形成されていて、
前記フランジ部が前記開口部の外縁部を支点として水平位置と立ち上げ位置の間で上下方向に可動であることを特徴とする可変容量容器。
【請求項２】
請求項１に記載の可変容量容器であって、
前記蓋部材は少なくとも外層と内層の２層を含み、
前記内層は前記開口部の外周に対応する位置に切り込み線を有していて、
前記蓋部材を前記本体容器から剥離した時に前記切り込み線よりも外側では前記内層が前記フランジ部の上に残ることを特徴とする可変容量容器。
【請求項３】
請求項１または２に記載の可変容量容器であって、
前記抜き穴は略三角形状であることを特徴とする可変容量容器。
【請求項４】
請求項３に記載の可変容量容器であって、
略三角形状の前記抜き穴の外方に突出した頂点部の外方に位置する前記フランジ部には、折り部を有することを特徴とする可変容量容器。
【請求項５】
請求項１〜４のいずれか１に記載の可変容量容器であって、
前記抜き穴は複数形成されていて、隣り合う前記抜き穴の間であって前記開口部の前記外縁部には前記フランジ部が抜き取られずに残された接続部を有することを特徴とする可変容量容器。
【請求項６】
請求項５に記載の可変容量容器であって、
複数の前記抜き穴は前記フランジ部内に周回均等間隔で形成されていることを特徴とする可変容量容器。
【請求項７】
請求項５または６に記載の可変容量容器であって、
前記接続部にはその一部を抜き取った接続抜き部が形成されていることを特徴とする可変容量容器。
【発明の詳細な説明】
【技術分野】
【０００１】
本発明は、内容量を変化させることが可能な可変容量容器に関する。
【背景技術】
【０００２】
従来、輸送コスト低減を目的として、輸送時には容積を小さく使用時には容積を大きくして様々な内容物を収容可能にする種々の可変容量容器が提案されてきた（例えば、特許文献１）。
【０００３】
特許文献１における可変容量容器は、底の浅い有底筒状の周面上縁部に螺旋状の折線を有する伸縮部を有する伸縮自在容器である。当該伸縮自在容器は、行楽等で持ち運びする際の利便性を課題としており、伸縮部を縮ませた状態の時には何も収容しないか嵩張らないインスタント飲料用粉末等を収容することが想定されている。
【０００４】
特許文献１のような可変容量容器では、伸縮部を縮ませて持ち運びする時には喫食できる状態の飲食物が入れられないため、可変容量容器とは別の容器に飲食物を入れたり、インスタント飲料用粉末等のみを可変容量容器に収容して、当該粉末を飲料とするための水は別の容器に入れたりする必要があった。
このため、特許文献１のような可変容量容器の用途は行楽等で用いる取り分け時の深皿用に限られてしまっていた。
【０００５】
そこで、最小嵩状態でも飲食物を収納可能とした可変容量容器として、特許文献２のような容器も提案されてきた。
特許文献２における可変容量容器は、カップ状容器の周壁部に周回する２本の水平な屈曲部が高さ違いで設けられていて、容器の底部を下から押し込むと２本の屈曲部に挟まれた領域が容器内側に反転して折り込まれることにより、底部の底面が上方の屈曲部とほぼ同じ高さになるまで折り畳まれ、容器嵩を小さくすることが可能となる。
【０００６】
ここで、特許文献２における可変容量容器の容器嵩を大きくする際には、底部付近の底周壁部を把持して下方に引き出す必要がある。このとき、２本の屈曲部に挟まれて容器内側に反転して折り込まれた反転周壁部と底周壁部との間に指を入れることにより底周壁部を把持することが可能となる。
しかし、確実に下方に引き出すために、当該反転周壁部と当該底周壁部との間に指を奥まで入れようとしても、反転周壁部と底周壁部とは上方で屈曲部により連接しているため指をしっかりと挿入することができなかった。その結果、底部を引き出すことが出来ずに容量が小さいままでの使用を余儀なくされたり、引き出せたとしても、水平に引き出せずに底部が斜めになってしまい内容物がこぼれてしまったりする問題があった。
【０００７】
そこで、底部を引き出すことに伴う不都合を解消するために、底部ではなく上面を可動とした可変容量容器も提案されてきた（例えば、特許文献３、４）。
【０００８】
特許文献３における可変容量容器は、即席麺等を収容したカップ状容器の上方が牛乳パックのようなゲーベルトップ型に折り畳み可能な構造となっており、飲食時には折り畳まれた部分を開くことにより容量を大きくする。
しかし、特許文献３のような可変容量容器では、容量を小さくしようとすると折り畳まれた部分が蓋となるため、飲食時は常に容量を大きくした状態としなければならなかった。そのため、飲食が進んで内容物が少なくなった後も側壁を高くした状態のままで飲食しなければならず、飲食がしにくいという問題があった。
【０００９】
また、特許文献４における可変容量容器は、皿状容器の周縁に可撓性の側壁部材が取り付けられた構造となっており、飲食物の大きさや形状に応じてフィルム状の側壁部材を伸縮させることにより飲食物を包み込み、側壁部材の上端部を縛って密封することも可能とした容器である。
しかし、特許文献４のような可変容量容器では、可撓性の側壁部材を伸ばして容量を大きくした状態で維持することが困難であり、また、側壁部材を縮ませて容量を小さくした場合には撓んだ側壁部材が皿状容器の上面に重なって飲食の妨げになってしまっていた。
【００１０】
ところで、近年の飲食の傾向の１つとして、調味料等を別包装で添付しておいて飲食直前に当該調味料等を飲食物に添加することにより手軽な食材に高級感を付加した飲食物が流通している。この例としては、プリンに別添のカラメルソースをかけたり、ヨーグルトに別添のグラノーラ等を乗せたりして飲食するようなものが挙げられる。
この場合、各地方自治体で条例や条例施行規則等により規定された適正包装に基づき、プリンやヨーグルトが入っている容器は別添材料を含めない内容物の容量で適正包装されているため、飲食時に別添材料を乗せる空間が残されていないことがある。
【００１１】
このような飲食物を食する飲食者は、別添材料がこぼれないようにごく少量を添加するか、飲食物の内容量をある程度減らしてから別添材料を添加するか、若しくは、別添材料を加えた内容量を収容することが可能な別容器に飲食物を移してから別添材料を添加するか、の選択を迫られることになる。
【００１２】
しかし、ごく少量を添加する場合や最初に飲食物の内容量を減らす場合では飲食者が期待する高級感が薄れてしまい、別容器に移す場合には１つの飲食物で２つの容器を使用することになるため不経済であるだけでなく、手軽に食べられるという利点を減退させることにもなってしまっていた。
【００１３】
公知文献を以下に示す。
【先行技術文献】
【特許文献】
【００１４】
【特許文献１】実開昭５８−０１４３５３号公報
【特許文献２】特公平０４−０７６８７０号公報
【特許文献３】特開２００６−３４７６２７号公報
【特許文献４】特開２００１−００２１２５号公報
【発明の概要】
【発明が解決しようとする課題】
【００１５】
本発明は上記のような事情に鑑みてなされたもので、最小嵩でも飲食物を収容することが可能で、飲食時には容易に容量を大きくすることにより別添材料を添加してもこぼれる虞がなく、かつ、容量を増やした部分の容器部材が飲食の妨げとならない可変容量容器を提供することを課題とする。
【課題を解決するための手段】
【００１６】
本発明は係る課題に鑑みなされたものであり、本発明の可変容量容器は、上面の開口部周縁にフランジ部を有する本体容器と、前記本体容器の前記開口部及び前記フランジ部を覆う蓋部材と、を有し、前記フランジ部にはその一部を抜き取った抜き穴が前記フランジ部の外縁部に重ならない位置に形成されていて、前記フランジ部が前記開口部の外縁部を支点として水平位置と立ち上げ位置の間で上下方向に可動であることを特徴とする。
【００１７】
また、本発明の可変容量容器の前記蓋部材は少なくとも外層と内層の２層を含み、前記内層は前記開口部の外周に対応する位置に切り込み線を有していて、前記蓋部材を前記本体容器から剥離した時に前記切り込み線よりも外側では前記内層が前記フランジ部の上に残っていても良い。
【００１８】
また、本発明の可変容量容器の前記フランジ部に設けた前記抜き穴は略三角形状であっても良く、略三角形状の前記抜き穴の外方に突出した頂点部の外方に位置する前記フランジ部には、折り部を有していても良い。
【００１９】
また、本発明のフランジ部に抜き穴を有する可変容量容器の前記抜き穴は複数形成されていて、隣り合う前記抜き穴の間であって前記開口部の前記外縁部には前記フランジ部が抜き取られずに残された接続部を有していても良く、この場合の複数の前記抜き穴は前記フランジ部内に周回均等間隔で形成されていても良い。
また、前記接続部にはその一部を抜き取った接続抜き部が形成されていても良い。
【発明の効果】
【００２０】
本発明の可変容量容器は、本体容器のフランジ部を水平位置と立ち上げ位置の間で上下方向に可動とすることにより容量を可変にするものであるから、フランジ部を水平位置にした最小嵩でも飲食物を収容することが可能である。
また、前記フランジ部を前記開口部の外縁部を支点として立ち上げるだけで容量を大きくすることが可能であるため、飲食者が容易に容量を操作することが可能となる。これにより、別添材料を添加する等飲食者が必要な時に前記フランジ部を立ち上げて容量を大きくすることができるため、内容物が全量ある状態で別添材料を添加してもこぼれる虞がない。また、前記本体容器は前記フランジ部を水平位置に戻すと通常のフランジ部付き容器と同等の形態となるため、容量を増やす必要が無くなった段階で前記フランジ部を水平位置とすることにより、容量を増やした部分の容器部材が飲食の妨げとなる虞もない。
また、本発明の可変容量容器の前記フランジ部にはその一部を抜き取った抜き穴が前記フランジ部の外縁部に重ならない位置に形成されていることにより、前記外縁部を支点として前記フランジ部を立ち上げる際の変形を前記抜き穴で吸収することが可能となるため、より容易に立ち上げることが可能となる。
【００２１】
また、本発明の可変容量容器の前記蓋部材は少なくとも外層と内層の２層を含み、前記内層は前記開口部の外周に対応する位置に切り込み線を有していて、前記蓋部材を前記本体容器から剥離した時に前記切り込み線よりも外側では前記内層が前記フランジ部の上に残っているような構成とする。これにより、前記フランジ部を立ち上げて容量を大きくした際に側壁となる部分の内面が前記蓋部材の前記内層となる。このような構成とすることにより、流通過程で汚れ等の付着の虞が無い前記内層が容器の内面となるため、飲食物用容器に適した衛生的な容器とすることができる。
また、前記フランジ部の上に前記内層が積層されている状態であり、前記フランジ部の前記抜き穴の部分にも前記内層があるため、本発明の可変容量容器内の飲食物が前記抜き穴からこぼれる虞が無い。
【００２２】
また、前記フランジ部をむき出しにせずに前記蓋部材の前記内層を前記フランジ部上に残すことにより、前記本体容器の内容物である飲食物の滑りを良くして飲食者が内容物を残さず食べられるようにすることも可能となる。なお、この効果をより高めるために、前記内層の前記外層側の表面に界面活性剤を添加したり、前記外層と前記内層の間に撥水・撥油加工を施した中間層を設け、前記中間層も前記フランジ部上に残る構成としたりすることにより、飲食物の滑りをさらに良くしても良い。
【００２３】
また、前記抜き穴の形状を略三角形状とすることにより、前記フランジ部を立ち上げる
際に折り曲げる部分が多く抜き取られるため、前記フランジ部の可動を容易に行うことが可能となる。一方、前記フランジ部を立ち上げた際の側壁や上端となる部分は多く残されるため、容量を大きくした場合でも容器の形状が安定する。これにより、内容物及び別添材料がこぼれる虞がなく、飲食者も把持しやすい利便性の高い容器とすることが可能となる。
【００２４】
また、略三角形状の前記抜き穴の外方に突出した頂点部の外方に位置する前記フランジ部には折り部を有する構成とすることにより、前記フランジ部を立ち上げた状態で前記折り部を折り曲げることにより当該立ち上げ位置で前記フランジ部を安定させることが可能となる。これにより飲食者は内容物が全量入った状態で別添材料を加えてもこぼれる虞がなく、安心して飲食を行うことが可能となる。
【００２５】
また、本発明のフランジ部に抜き穴を有する可変容量容器の前記抜き穴は複数形成されていて、隣り合う前記抜き穴の間であって前記開口部の前記外縁部には前記フランジ部が抜き取られずに残された接続部を有していることにより、前記フランジ部の水平位置と立ち上げ位置の間の動きを安定して行うことが可能となる。
【００２６】
また、複数の前記抜き穴を前記フランジ部内に周回均等間隔で形成することにより、前記フランジ部全体を均等に可動させることが可能となる。
【００２７】
また、前記接続部にその一部を抜き取った接続抜き部を形成することにより、前記フランジ部の可動に必要な力量を小さく調整することも可能となり、デザイン性に富んだ容器とすることも可能となる。
【図面の簡単な説明】
【００２８】
【図１】本発明の可変容量容器の第１の実施形態の断面図を模式的に示した説明図である。（ａ）は開封前の状態、（ｂ）は蓋部材を除去して開封した状態であり、フランジ部を立ち上げ位置に動かした状態を破線で示している。
【図２】本発明の可変容量容器の第１の実施形態の本体容器の上面図を模式的に示した説明図である。
【図３】（ａ）図２のＡ−Ａ断面を模式的に示した断面説明図である。（ｂ）図２のＢ−Ｂ断面を模式的に示した断面説明図である。いずれも、フランジ部を立ち上げ位置に動かした状態を破線で示している。
【図４】本発明の可変容量容器の第２の実施形態の本体容器の上面図を模式的に示した説明図である。
【図５】本発明の可変容量容器の第３の実施形態の本体容器の上面図を模式的に示した説明図である。
【図６】本発明の可変容量容器の第４の実施形態の本体容器の上面図を模式的に示した説明図である。
【発明を実施するための形態】
【００２９】
＜第１の実施形態＞
以下、本発明を実施するための第１の実施形態につき図１〜図３を参照して説明する。
【００３０】
第１の実施形態の可変容量容器１は、上面の開口部２０周縁にフランジ部２１を有するカップ状の本体容器２と、本体容器２の開口部２０及びフランジ部２１を覆う蓋部材３と、を有する。蓋部材３はフランジ部２１で本体容器２と熱融着している。
【００３１】
本体容器２の材料としては、プラスチックシートを真空圧空等の方法で成形したシート成形や、インジェクション成形、ブロー成形などによるプラスチックの成形品、あるいは
、紙を基材としてプラスチック、アルミ箔他とラミネートされた材料で出来た、紙カップ、紙トレイ等の紙容器などを使用することができる。
【００３２】
本体容器２のフランジ部２１には、フランジ部２１の外縁部に重ならない位置にその一部を抜き取った抜き穴２３が形成されている。抜き穴２３はフランジ部２１の厚さを薄くした半切り穴とすることも可能だが、開口部２０の外縁部２２を支点としてフランジ部２１を立ち上げる際のフランジ部２１の変形を吸収する効果を確実に得るためには、フランジ部２１を貫通する穴とすることが好ましい。
【００３３】
抜き穴２３は、開口部２０の外縁部２２を底辺とし外方を頂点とする、図２に示すような略三角形状とすることが好ましい。これは、フランジ部２１を立ち上げる際に折り曲げる部分が抜き穴２３の底辺となり多く抜き取られるため、フランジ部２１の可動を容易に行うことが可能となるからである。また、図３のようにフランジ部２１を水平位置Ｆから立ち上げ位置Ｒへ立ち上げた際の側壁や上端となる部分は抜き穴２３の頂点となりフランジ部２１が多く残されるため、容量を大きくした場合でも容器の形状が安定する。これにより、内容物及び別添材料がこぼれる虞がなく、飲食者も把持しやすい利便性の高い容器とすることが可能となる。
【００３４】
また、略三角形状の抜き穴２３の頂点部２３ａの外方に位置するフランジ部２１には、折り部２１ａを有することが好ましい。これにより、フランジ部２１を立ち上げた状態で折り部２１ａを折り曲げることにより立ち上げ位置Ｒでフランジ部２１を安定させることが可能となる。これにより飲食者は内容物が全量入った状態で別添材料を加えてもこぼれる虞がなく、安心して飲食を行うことが可能となる。
【００３５】
なお、抜き穴２３は複数形成されることが好ましく、少なくとも３つ形成されることがより好ましい。これは、抜き穴が２つ以下ではフランジ部２１を可動させる際の変形吸収が十分ではなく、フランジ部２１の立ち上げが困難となる虞があるためである。
また、抜き穴２３を複数形成する場合、隣り合う抜き穴２３の間であって開口部２０の外縁部２２にはフランジ部２１が抜き取られずに残された接続部２４を有することが望ましい。これは、フランジ部２１を立ち上げる際の支点となる場所にフランジ部２１が残されていないと立ち上げが不安定になってしまう虞があるためである。
【００３６】
また、複数の抜き穴２３はフランジ部２１内に周回均等間隔で形成することが好ましい。これにより、フランジ部２１全体を均等に可動させることが可能となる。
なお、図２では抜き穴２３を全て同一の大きさ及び形状としているが、これに限らず、所望の効果を得られる範囲内であれば、それぞれの抜き穴２３の大きさを変えたり、略三角形状の範囲内で形状を変えたりしても良い。ただし、フランジ部２１全体を均等に可動させるためには、開口部２０の中心を中心点とする点対称の形状若しくは線対称の形状とすることが好ましい。
【００３７】
また、本実施形態では特に図示しないが、フランジ部２１を可動する際の支点となる開口部２０の外縁部２２には、立ち上げ動作を容易にするために半切り等の脆弱加工を施していても良く、さらに、立ち上げ位置Ｒでフランジ部２１を固定するための固定部を設けても良い。
【００３８】
蓋部材３は外層３１と内層３２の少なくとも２層が積層されてなり、内層３２の材料は熱融着されるフランジ部２１の面の材質に合わせて適宜選択することが可能である。
また、内層３２は開口部２０の外周に対応する位置に切り込み線３３を有していて、図１（ｂ）に示すように、蓋部材３を本体容器２から剥離した時に切り込み線３３よりも外側では内層３２がフランジ部２１の上に残る構成となっている。
このとき、切り込み線３３よりも外側であって外層３１と内層３２との間に剥離層（図示せず）を設けても良い。当該剥離層を設けることにより、フランジ部２１上で内層３２が外層３１から剥離することがより容易になる。
【００３９】
なお、図１（ａ）に示すように、蓋部材３の一部をフランジ部２１の外方に突出させて蓋部材３を剥離する際のタブとすることにより蓋部材３の剥離を容易に開始することが可能となるため、蓋部材３は当該タブを有する構造とすることが好ましい。このとき、当該タブとフランジ部２１との境界に対応する位置の内層３２にタブ切込線３４を設けることにより、フランジ部２１の上に内層３２を残した状態で蓋部材３を剥離することが可能となる。
なお、外層３１と内層３２の間に剥離層を設ける場合には、タブ切込線３４と切り込み線３３の間の領域に剥離層を設けることが好ましい。
【００４０】
本実施形態の可変容量容器１を用いて飲食する場合、飲食者はまず、蓋部材３のタブを把持して蓋部材３を上方に引き上げることにより、内層３２をフランジ部２１の上に残して蓋部材３を剥離した図１（ｂ）の状態にする。そして、初期状態である水平位置Ｆから上方の立ち上げ位置Ｒへ、図１（ｂ）、図３のように、開口部２０の外縁部２２を支点としてフランジ部２１を立ち上げる。ここで、抜き穴２３の頂点部２３ａの外方に折り部２１ａを有している場合には折り部２１ａを折り曲げて立ち上げたフランジ部２１の形状を安定させる。このようにして容量を大きくすることにより、本体容器２に飲食物が全量入った状態であっても別添材料等をこぼさずに追加することが可能となる。
このとき、容量を大きくした部分では、流通過程で汚れ等の付着の虞が無い内層３２が容器の内面となるため、飲食物用容器に適した衛生的な容器とすることができる。
また、フランジ部２１の抜き穴２３の部分にも内層３２があるため、可変容量容器１内の飲食物が抜き穴２３からこぼれる虞も無い。
【００４１】
飲食が進み、容量を大きくしておく必要がなくなった場合にはフランジ部２１を水平位置Ｆに戻す。フランジ部２１を水平位置Ｆに戻した可変容量容器１は通常のフランジ部付き容器と同等の形態となるため、容量を増やした部分の容器部材が飲食の妨げとなる虞がない。
【００４２】
＜第２の実施形態＞
以下、本発明を実施するための第２の実施形態につき図４を参照して説明する。
【００４３】
第２の実施形態の本体容器２００は、複数の抜き穴２３の間の接続部２４にその一部を抜き取った接続抜き部２７が形成されていること以外は、第１の実施形態の本体容器２と同様である。また、蓋部材３も第１の実施形態と同様である。
【００４４】
複数の抜き穴２３の間の接続部２４は、フランジ部２１を立ち上げる際の支点となる場所でフランジ部２１の立ち上げが不安定とならない程度に残されていれば良く、接続部２４の幅が広すぎるとフランジ部２１の立ち上げが困難になる虞がある。そのため、図４に示すように、抜き穴２３の数及び大きさに応じて、接続部２４の一部に接続抜き部２７を形成しても良い。なお、接続抜き部２７は、抜き穴２３と同様の貫通穴としても良いし、フランジ部２１の厚さを薄くした半切り穴としても良い。
【００４５】
図４では全ての接続部２４に接続抜き部２７を有する形態としているが、これに限らず、例えば、接続部２４の２つに１つの割合で接続抜き部２７を設けても良い。ただし、フランジ部２１を動かす時にフランジ部２１全体に均等に力を加えることができるようにするためには、接続抜き部２７も抜き穴２３と同様に周回均等間隔で形成されることが好ましい。
【００４６】
接続抜き部２７を有することにより、フランジ部２１の可動に必要な力量を小さく調整することも可能となり、デザイン性に富んだ容器とすることも可能となる。
【００４７】
本実施形態の本体容器２００を用いた可変容量容器１で飲食する場合、第１の実施形態と同様に、飲食者はまず、蓋部材３のタブを把持して蓋部材３を上方に引き上げることにより、内層３２をフランジ部２１の上に残して蓋部材３を剥離する。そして、初期状態である水平位置Ｆから上方の立ち上げ位置Ｒへ、開口部２０の外縁部２２を支点としてフランジ部２１を立ち上げる。ここで、抜き穴２３の頂点部２３ａの外方に折り部２１ａを有している場合には折り部２１ａを折り曲げて立ち上げたフランジ部２１の形状を安定させる。このようにして容量を大きくすることにより、本体容器２に飲食物が全量入った状態であっても別添材料等をこぼさずに追加することが可能となる。
このとき、容量を大きくした部分では、流通過程で汚れ等の付着の虞が無い内層３２が容器の内面となるため、飲食物用容器に適した衛生的な容器とすることができる。
また、フランジ部２１の抜き穴２３及び接続抜き部２７の部分にも内層３２があるため、可変容量容器１内の飲食物が抜き穴２３からこぼれる虞も無い。
【００４８】
また、飲食が進み、容量を大きくしておく必要がなくなった場合にはフランジ部２１を水平位置Ｆに戻すのも第１の実施形態と同様である。フランジ部２１を水平位置Ｆに戻した可変容量容器１は通常のフランジ部付き容器と同等の形態となるため、容量を増やした部分の容器部材が飲食の妨げとなる虞がない。
【００４９】
＜第３の実施形態＞
以下、本発明を実施するための第３の実施形態につき図５を参照して説明する。
【００５０】
第３の実施形態の本体容器２１０は、複数の略三角形状の抜き穴２３の隣り合う２辺の間の空間にその一部を抜き取った外方抜き穴２８が形成されていること以外は、第１の実施形態の本体容器２と同様である。また、蓋部材３も第１の実施形態と同様である。
【００５１】
外方抜き穴２８は、抜き穴２３と同様の貫通穴としても良いし、フランジ部２１の厚さを薄くした半切り穴としても良い。外方抜き穴２８を有することにより、フランジ部２１を立ち上げた状態で略三角形状の抜き穴２３の頂点部２３ａの外方に設けられた折り部２１ａを折り曲げる際に、外方抜き穴２８の部分が内側に撓むことにより、折り部２１ａを折り曲げて立ち上げ位置Ｒでのフランジ部２１を安定させる効果をより高めることが可能となる。
また、外方抜き穴２８を有することにより、デザイン性を高めた容器とすることも可能となる。
【００５２】
本実施形態の本体容器２１０を用いた可変容量容器１で飲食する場合、第１の実施形態と同様に、飲食者はまず、蓋部材３のタブを把持して蓋部材３を上方に引き上げることにより、内層３２をフランジ部２１の上に残して蓋部材３を剥離する。そして、初期状態である水平位置Ｆから上方の立ち上げ位置Ｒへ、開口部２０の外縁部２２を支点としてフランジ部２１を立ち上げる。ここで、抜き穴２３の頂点部２３ａの外方に折り部２１ａを有している場合には折り部２１ａを折り曲げて立ち上げたフランジ部２１の形状を安定させる。このようにして容量を大きくすることにより、本体容器２に飲食物が全量入った状態であっても別添材料等をこぼさずに追加することが可能となる。
このとき、容量を大きくした部分では、流通過程で汚れ等の付着の虞が無い内層３２が容器の内面となるため、飲食物用容器に適した衛生的な容器とすることができる。
また、フランジ部２１の抜き穴２３及び外方抜き穴２８の部分にも内層３２があるため、可変容量容器１内の飲食物が抜き穴２３からこぼれる虞も無い。
【００５３】
また、飲食が進み、容量を大きくしておく必要がなくなった場合にはフランジ部２１を水平位置Ｆに戻すのも第１の実施形態と同様である。フランジ部２１を水平位置Ｆに戻した可変容量容器１は通常のフランジ部付き容器と同等の形態となるため、容量を増やした部分の容器部材が飲食の妨げとなる虞がない。
【００５４】
＜第４の実施形態＞
以下、本発明を実施するための第４の実施形態につき図６を参照して説明する。
【００５５】
第４の実施形態の本体容器２２０は、複数の略三角形状の抜き穴２３の隣り合う２辺の間の空間から接続部２４にかけて、その一部を抜き取った一体型抜き穴２９が形成されていること以外は、第１の実施形態の本体容器２と同様である。また、蓋部材３も第１の実施形態と同様である。
【００５６】
一体型抜き穴２９は、抜き穴２３と同様の貫通穴としても良いし、フランジ部２１の厚さを薄くした半切り穴としても良い。
また、一体型抜き穴２９とせずに、第２の実施形態で示した接続抜き部２７と第３の実施形態で示した外方抜き穴２８との両方を設けた形態とすることも可能である。
【００５７】
一体型抜き穴２９とした場合には、接続抜き部２７と外方抜き穴２８とをそれぞれ形成する場合に比べて加工が容易であり、接続抜き部２７と外方抜き穴２８との間のフランジ部２１を考慮する必要がないため、形状の自由度を増加させることも可能となり、デザイン性をさらに高めた容器とすることも可能となる。
【００５８】
本実施形態の本体容器２２０を用いた可変容量容器１で飲食する場合、第１の実施形態と同様に、飲食者はまず、蓋部材３のタブを把持して蓋部材３を上方に引き上げることにより、内層３２をフランジ部２１の上に残して蓋部材３を剥離する。そして、初期状態である水平位置Ｆから上方の立ち上げ位置Ｒへ、開口部２０の外縁部２２を支点としてフランジ部２１を立ち上げる。ここで、抜き穴２３の頂点部２３ａの外方に折り部２１ａを有している場合には折り部２１ａを折り曲げて立ち上げたフランジ部２１の形状を安定させる。このようにして容量を大きくすることにより、本体容器２に飲食物が全量入った状態であっても別添材料等をこぼさずに追加することが可能となる。
このとき、容量を大きくした部分では、流通過程で汚れ等の付着の虞が無い内層３２が容器の内面となるため、飲食物用容器に適した衛生的な容器とすることができる。
また、フランジ部２１の抜き穴２３及び一体型抜き穴２９の部分にも内層３２があるため、可変容量容器１内の飲食物が抜き穴２３からこぼれる虞も無い。
【００５９】
また、飲食が進み、容量を大きくしておく必要がなくなった場合にはフランジ部２１を水平位置Ｆに戻すのも第１の実施形態と同様である。フランジ部２１を水平位置Ｆに戻した可変容量容器１は通常のフランジ部付き容器と同等の形態となるため、容量を増やした部分の容器部材が飲食の妨げとなる虞がない。
【符号の説明】
【００６０】
１・・・可変容量容器
２、２００、２１０、２２０・・・本体容器
３・・・蓋部材
２０・・・開口部
２１・・・フランジ部
２２・・・開口部の外縁部
２３・・・抜き穴
２４・・・接続部
２５・・・側壁
２６・・・底部
２７・・・接続抜き部
２８・・・外方抜き穴
２９・・・一体型抜き穴
３１・・・外層
３２・・・内層
３３・・・切り込み線
３４・・・タブ切り込み線
【図１】
2017186043.tif 000003
【図２】
2017186043.tif 000004
【図３】
2017186043.tif 000005
【図４】
2017186043.tif 000006
【図５】
2017186043.tif 000007
【図６】
2017186043.tif 000008